【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
第１ユーザの第１端末と第２ユーザの第２端末とを含む複数端末にコンテンツの送信を行う端末によって実行されるプログラムであって、
前記第１ユーザによって登録された第１情報とは異なる第３情報と、前記第１ユーザとを、前記端末のユーザによる入力に基づいて前記端末の制御部により関連付けることと、
前記端末のユーザによる第１入力に基づいて、前記第１ユーザへのコンテンツであることを示す情報の少なくとも一部である前記第３情報と、前記第２端末のユーザによって登録された第２情報とを前記端末の表示部に表示することと、
前記表示部に表示された前記第３情報に対する前記端末のユーザによる入力が行われた場合、前記第３情報を含む第１コンテンツに関連する第１関連情報を前記端末の通信部によって前記複数端末に送信する制御と、前記第３情報を含む前記第１コンテンツを前記表示部に表示する制御とを前記制御部によって行うこととが前記端末によって実行され、
前記第１関連情報は、前記第１ユーザへのコンテンツであることを示す情報の少なくとも一部である前記第１情報を含む第２コンテンツが、前記第１端末に表示されるための情報を含む。
【請求項２】
請求項１に記載のプログラムであって、
前記第１関連情報は、前記第１ユーザへのコンテンツであることを示す情報の少なくとも一部である前記第３情報を含む前記第１コンテンツが、前記第２端末に表示されるための情報を含む。
【請求項３】
請求項１または請求項２に記載のプログラムであって、
前記第２情報に対する前記端末のユーザによる入力が行われた場合、前記第２情報を含む第３コンテンツに関連する第２関連情報を前記端末の通信部によって前記複数端末に送信する制御と、前記第２情報を含む前記第３コンテンツを前記表示部に表示する制御とを前記制御部によって行うこととが前記端末によって実行され、
前記第２関連情報は、前記第２情報を含む前記第３コンテンツが、前記第１端末と前記第２端末とに表示されるための情報を含む。
【請求項４】
請求項１から請求項３のいずれか一項に記載のプログラムであって、
前記第２情報と、前記第３情報の少なくとも一部を示す、前記端末に入力された第２入力とに基づき、前記表示部に表示された前記第２情報を前記表示部から消去する制御を前記制御部によって行うことが前記端末によって実行される。
【請求項５】
請求項４に記載のプログラムであって、
前記第２情報は、前記第２入力が、前記第２情報とは異なる情報を含む場合、前記表示部から消去される。
【請求項６】
請求項４または請求項５に記載のプログラムであって、
前記第１情報は、前記第１ユーザによって登録された第１ユーザ名を含み、
前記第２情報は、前記第２端末のユーザによって登録された第２ユーザ名を含み、
前記第３情報は、前記端末のユーザによって、前記第１ユーザと関連付けられた第３ユーザ名を含み、
前記第２情報は、前記第２入力として前記端末によって入力された少なくとも一部の前記第３ユーザ名が、前記第２ユーザ名とは異なる文字まで入力されたことに基づき、前記表示部から消去される。
【請求項７】
請求項１に記載のプログラムであって、
前記第２情報と前記第３情報とは、前記表示部の第１領域に表示され、
前記表示部に表示された前記第３情報に対する前記端末のユーザによる入力が行われた場合、前記表示部の前記第１領域とは異なる第２領域に前記第３情報を表示することが前記端末によって実行される。
【請求項８】
請求項７に記載のプログラムであって、
前記第１入力に基づく情報と、前記第３情報と、前記端末によって入力されたコンテンツの情報とを前記第２領域に表示することが前記端末によって実行され、
前記第１コンテンツは、前記第１入力に基づく情報と前記第２情報とに基づく、前記第１ユーザへのコンテンツであることを示す情報と、前記端末によって入力されたコンテンツの情報とを含む。
【請求項９】
請求項１から請求項８のいずれか一項に記載のプログラムであって、
前記端末のユーザと、前記第１ユーザと、前記第２ユーザとは、チャットグループに含まれ、
前記第１コンテンツは、前記端末を除く、前記チャットグループに含まれる複数のユーザの各々の端末に送信される。
【請求項１０】
請求項３に記載のプログラムであって、
前記第１端末に表示される前記第２コンテンツと、前記第２端末に表示される前記第１コンテンツとは、表示態様が異なる。
【請求項１１】
請求項１から請求項１０のいずれか一項に記載のプログラムであって、
前記第１入力は、記号の入力である。
【請求項１２】
請求項１から請求項１１のいずれか一項に記載のプログラムであって、
前記端末の前記表示部に表示される前記第１コンテンツと、前記第１端末に表示される前記第２コンテンツとは、表示態様が異なる。
【請求項１３】
請求項１から請求項１２のいずれか一項に記載のプログラムであって、
前記第１関連情報は、サーバを介して前記複数端末に送信される。
【請求項１４】
請求項１から請求項１３のいずれか一項に記載のプログラムであって、
前記第１情報は、前記第１ユーザによって登録された第１ユーザ名であり、
前記第２情報は、前記第２ユーザによって登録された第２ユーザ名であり、
前記第３情報は、前記端末のユーザによって前記第１ユーザと関連付けられた第３ユーザ名である。
【請求項１５】
請求項１から請求項１４のいずれか一項に記載のプログラムであって、
前記複数端末の各々から送信されたコンテンツと、前記第１コンテンツとを時系列に前記表示部に表示することを含む。
【請求項１６】
第１ユーザの第１端末と第２ユーザの第２端末とを含む複数端末にコンテンツの送信を行う端末の情報処理方法であって、
前記第１ユーザによって登録された第１情報とは異なる第３情報と、前記第１ユーザとを、前記端末のユーザによる入力に基づいて前記端末の制御部により関連付けることと、
前記端末のユーザによる第１入力に基づいて、前記第１ユーザへのコンテンツであることを示す情報の少なくとも一部である前記第３情報と、前記第２端末のユーザによって登録された第２情報とを前記端末の表示部に表示することと、
前記表示部に表示された前記第３情報に対する前記端末のユーザによる入力が行われた場合、前記第３情報を含む第１コンテンツに関連する第１関連情報を前記端末の通信部によって前記複数端末に送信する制御と、前記第３情報を含む前記第１コンテンツを前記表示部に表示する制御とを前記制御部によって行うこととを含み、
前記第１関連情報は、前記第１ユーザへのコンテンツであることを示す情報の少なくとも一部である前記第１情報を含む第２コンテンツが、前記第１端末に表示されるための情報を含む。
【請求項１７】
第１ユーザの第１端末と第２ユーザの第２端末とを含む複数端末にコンテンツの送信を行う端末であって、
前記第１ユーザによって登録された第１情報とは異なる第３情報と、前記第１ユーザとを、前記端末のユーザによる入力に基づいて関連付ける処理を行う制御部と、
前記端末のユーザによる第１入力に基づいて、前記第１ユーザへのコンテンツであることを示す情報の少なくとも一部である前記第３情報と、前記第２端末のユーザによって登録された第２情報とを表示する表示部とを備え、
前記制御部は、前記表示部に表示された前記第３情報に対する前記端末のユーザによる入力が行われた場合、前記第３情報を含む第１コンテンツに関連する第１関連情報を前記端末の通信部によって前記複数端末に送信する制御と、前記第３情報を含む前記第１コンテンツを前記表示部に表示する制御とを行い、
前記第１関連情報は、前記第１ユーザへのコンテンツであることを示す情報の少なくとも一部である前記第１情報を含む第２コンテンツが、前記第１端末に表示されるための情報を含む。